(57)【特許請求の範囲】
【請求項１】
スクリュードライバーを収容するデバイスであって、平らな主ボディ（１）を持ち、当該主ボディ（１）は内面（２）と外面（３）を有し、工具（５，７，９，１１，１３）を前記主ボディ（１）に保持するために保持デバイス（４，６，８，１０，１２）を前記内面（２）上に備え、複数のヒンジ（１４，１５，１６，１７）によって前記主ボディ（１）が表面部分（１８，１９，２０，２１，２２）に分割され、当該表面部分（１８，１９，２０，２１，２２）が工具の取り外し位置から収容位置に前記ヒンジ（１４，１５，１６，１７）の回りに折り重ねられることができ、取り外し位置では前記表面部分（１８，１９，２０，２１，２２）が基本的に単一の平面であり、収容位置では前記表面部分（１８，１９，２０，２１，２２）の前記外面（３）が多角形のボディの平らな表面を形成し、
前記主ボディの表面部分（１８，１９，２０，２１，２２）が各々寸法的に安定し、かつ曲がりやすい単一の平らなボディ（２３）または複数の平らなボディ（２３）によって強化されており、少なくとも前記表面部分（１８，１９，２０，２１，２２）の前記外面（３）が布地材料で作られており、
収容位置で角柱のように成形されるとき、前記表面部分（１８，１９，２０，２１，２２）における一方の長い周辺端部で構成される端面（２４）、または当該一方の長い周辺端部に対向しており、当該一方の長い周辺端部と平行である他方の長い周辺端部で構成される端面（２５）で、平らな床面の上に安定して立つことを可能にする剛性を有し、
フリースペース（２７，２８，２９）が前記内面（２）に固定された前記工具（５，７，９，１１，１３）の間に存在し、当該フリースペース（２７，２８，２９）が取り外し位置において前記工具を取り外すことをより容易にし、収容位置において他の表面部分（１９，２１）に配置された工具（７，１３）を当該フリースペース（２７，２８，２９）の中に配置し、
細長い工具（１１，１３）が前記ヒンジライン（１４，１５，１６，１７）に平行に延びるように第１の保持デバイス（１０，１２）が配置され、および第２の保持デバイス（６）によって保持されるナット（７）が前記ヒンジライン（１４，１５，１６，１７）の並びに垂直に延びるように当該第２の保持デバイス（６）が配置され、
前記第２の保持デバイス（６）が狭い表面部分（１９）に配置され、各ナット（７）がそこに配置された前記第２の保持デバイス（６）上に置かれており、最大のレンチ幅を有するナットが当該狭い表面部分の幅よりもわずかに小さいのみである直径を持つ、
ことを特徴とするデバイス。
【請求項２】
取り外し位置において、前記主ボディ（１）が、短い周辺端部に平行に走る前記ヒンジライン（１４，１５，１６，１７）を有し、角のある四角の表面の物体を形成することを特徴とする請求項１に記載のデバイス。
【請求項３】
前記主ボディ（１）に固定された工具（５，７，９，１１，１３）が収容位置において前記主ボディ（１）を強化するように、前記保持デバイス（４，６，８，１０，１２）が配置されることを特徴とする請求項１または２に記載のデバイス。
【請求項４】
前記内面（２）と前記外面（３）が、各々布地で作られており、前記ヒンジライン（１４，１５，１６，１７）に沿って走る縫い目によって接合され、前記内面（２）と前記外面（３）の間に寸法的に安定し、かつ曲がりやすい前記平らなボディ（２３）が配置されていることを特徴とする請求項１ないし３のいずれか１項に記載のデバイス。
【請求項５】
前記ヒンジが正確に４本の曲げライン（１４，１５，１６，１７）を形成し、一方の端部に接する表面部分（２２）が、収容位置において他方の端部に接する表面部分（１８）に対して平面的に接着して隣接することを特徴とする請求項１ないし４のいずれか１項に記載のデバイス。
【請求項６】
収容位置において、多角形のボディの狭い側に向かい合わせに配置され、当該狭い側を閉鎖する四角形の端面（２６）が、広い平らな表面部分（２０）の周辺端部と接合されることを特徴とする請求項１ないし５のいずれか１項に記載のデバイス。
【請求項７】
１つ以上の前記平らなボディ（２３）が磁石を取り付けられていることを特徴とする請求項１ないし６のいずれか１項に記載のデバイス。
【請求項８】
ばねウェブ（３３）が前記曲げライン（１４，１５，１６，１７）のエリアに配置されており、当該ばねウェブ（３３）で前記平らなボディ（２３）の部分が接合され、当該ばねウェブ（３３）が収容位置で負荷を加えられ、取り外し位置で緩和されることを特徴とする請求項５に記載のデバイス。
【請求項９】
複数の表面部分（１８，１９，２０，２１，２２）が共有の前記平らなボディ（２３）によって強化され、前記平らなボディ（２３）において平行に走る前記ヒンジライン（１４，１５，１６，１７）のエリアにスリット（３２）が形成されていることを特徴とする請求項１ないし７のいずれか１項に記載のデバイス。
【請求項１０】
前記スリット（３２）の各狭い端部と前記平らなボディ（２３）の輪郭線の間にそれぞればねウェブ（３３）が形成されていることを特徴とする請求項９に記載のデバイス。
【請求項１１】
前記表面部分（１８，１９，２０，２１，２２）が、寸法的に安定し、かつ曲がりやすい前記平らなボディ（２３）に配置されており、
前記ばねウェブ（３３）が前記ヒンジ（１４，１５，１６，１７）のエリアに配置されており、前記ばねウェブ（３３）で前記平らなボディ（２３）の部分が接合され、前記ばねウェブ（３３）が収容位置で負荷を加えられ、取り外し位置で緩和される、
ことを特徴とする請求項１０に記載のデバイス。
【発明の詳細な説明】
【技術分野】
【０００１】
本発明は、工具を収容するためのデバイスに関する。
【背景技術】
【０００２】
工具を収容するためのデバイスは、特許文献１、特許文献２、特許文献３、および特許文献４から知られる。
【０００３】
特に布地材料で作られたバッグが知られている。それは取り外し位置から収容位置に巻かれることができ、取り外し位置では平らな主ボディが１つの平面内に広がる。
【先行技術文献】
【特許文献】
【０００４】
【特許文献１】独国特許公開第１０２  ５２  ７４７号公報
【特許文献２】独国特許公開第１０  ２０１１  ０５４  ２１９号公報
【特許文献３】独国実用新案第２０  ２００９  ０１２  １４５号公報
【特許文献４】独国特許公開第１０  ２００５  ０６１  １８５号公報
【発明の概要】
【発明が解決しようとする課題】
【０００５】
本発明の目的は、公知の工具バッグをユーザーフレンドリーな方法で更に改善することである。
【課題を解決するための手段】
【０００６】
本発明の目的は、請求項に記載の発明によって達成される。
【０００７】
本発明に係るデバイスは、平らな主ボディを持ち、主ボディは内面と外面を有する。主ボディ上に工具を保持するために保持デバイスが内面に与えられる。主ボディは、複数のヒンジによって複数の表面部分に分けられる。それらの表面部分は、曲げラインを含むヒンジの回りを収容位置に折り曲げられることができる。収容位置において、それらの表面部分は自らを中身の詰まったボディの外側の表面にする。これは、複数の表面、例えば２つの広い平らな表面、２つの狭い表面および２つの端の表面で構成される多角形のボディを形成する。端の表面はお互いに平行に走り、多角形のボディに多角柱の形状を与える。主ボディの表面部分は各々寸法的に安定し、かつ曲がりやすい平らなボディを形成することができる。少なくとも外側の表面は布地材料で作られることができ、収容デバイスを触覚的に魅力的にする。望ましくは柔らかな布地で作られ、それでまた、閉じた、または開いた収容デバイスは傷つきやすい表面、例えば自動車のボディの上に置かれることができる。曲げラインの結果として、同時にヒンジで動くようにされた表面部分は平らな床面の上以外にも置かれることができる。また、それらは自由な表面、例えばカーブした表面の上に置かれることができる。取り外し位置において、関節でつながった方法でお互いに接続された個々の表面部分は、タンクローリーのように基板の表面の輪郭に従うことができる。壁の剛性は特にプラスチック挿入プレートの剛性によって決定される。望ましくはプラスチック挿入プレートは２つの布地層の間に縫い込まれる。２つの布地層はヒンジに沿って、例えば縫い目でお互いに直接に接続されることができる。挿入プレートは磁石を備えることができ、それで開いた収容デバイスは磁力によって鋼基板に保持される。また、挿入プレートに含まれる磁石は、閉じた位置の収容デバイスを固定するために使われることができる。多角形のボディの端面は、主ボディに固定されたストラップによって封をされることができる。端面の周縁エッジは、縁の周縁エッジで構成されることができる。収容位置において、主ボディは縁から成るこの端に立てられることができる。また、端面は複数のストラップで構成されることができる。そのとき、複数のストラップは基本的に平らに走る端面を形成するようにお互いを強化する。工具は、例えばプラスチックで構成される保持デバイスを備えた表面部分の内面に固定される。工具の隣りにすき間が残る。これらのすき間はユーザが工具をつかむことを可能にする。望ましくは、すき間はその中に指先のための十分な空間を提供するために十分に大きい。収容位置において、他の表面部分、特に隣接する、または収容位置において向かい合った表面部分に配置される工具の一部によって、これらのすき間は占められる。収容位置において工具の間またはその隣のすき間が他の工具の一部によって埋められる、または少なくとも部分的に埋められるように、工具のための配置が選択される。望ましくは工具バッグのように設計された収容デバイスが閉じられるならば、隣接したまたは向かい合ったバッグの面の工具は、主にすき間を埋めるようにそこに入る。閉じた状態においてバッグは最小の収容寸法を有するが、開いた状態において最良の可能な外観を与えるように工具が配置されることが利点として考えられる。特に、広い平らな表面部分が曲げラインから離れてスペースを置かれた保持デバイスを運ぶことが提供される。これはフリースペースをもたらし、収容デバイスが閉じられている間、フリースペースの中に狭い表面部分の内面に固定された工具が入ることができる。狭い表面部分に固定された工具は、収容位置においてお互いに面する広い平らな面の部分の内面の間に基本的に距離測度に対応する幅を有することができる。例えば、つめ車が狭い表面部分に固定されることができ、そのつめ車の頭部は広い平らな面の部分の幅よりも少し狭いのみである。向かい合わせに置かれた狭い表面部分の内面にナットが固定されることができる。ここで、各ナットはそこに配置されたホルダーの上に置かれ、ホルダーはプラスチックで作られることができる。最大のレンチ幅を有するナットは、狭い表面部分の幅よりもわずかに小さいのみである直径を持つ。特に、つめ車のための拡張シャフトまたはつめ車自体のように細長い工具が曲げラインに平行に配置されることが提供される。曲げラインが延びる方向に垂直な軸に、より短い工具、例えばビットまたはナットが配置される。特に、本発明に係る収容デバイスは、布地の工具バッグであり、曲げラインに沿って縫い合わされた２つの布地材料層で構成される。それら２つの布地材料層の周辺の周縁エッジは、縁取りテープの使用で閉じられる。端面の表面を形成するストラップは、縁取りテープを用いて広い平らな面の部分の一つに固定される。縫い目によって、特に曲げラインを形成する縫い目によってお互いから分離された布地層の空間の中に、望ましくはプラスチックで組み立てられ、平らなボディによって形成される強化部品が挿入される。ホルダーは布地またはプラスチック、特にソフトまたはハードプラスチックで構成されることができ、ホルダーのループに工具が挿入されることができる。挿入プレートまたは一様な挿入プレートの複数の部分がばねウェブによって接合され、圧力を加えられないときにばねウェブが挿入プレートまたはそれらの部分を１つの平面に保持することが特に有利である。ばねウェブは、工具バッグを閉じている間、特に９０°まで曲げられる。そのとき、それらは、その閉じているものが開くとき工具バッグが自然に開くことを引き起こすばね力を生じる。より好ましい更なる改善では、工具バッグは少なくとも２つの、望ましくは全ての表面部分を強化する挿入ボディを有する。平らなボディはヒンジのエリアにスリットを有する。そのとき、スリットと外側の周縁エッジの間のそれぞれのエリアはばねウェブを構成する。挿入ボディは、お互いに平行に走る複数のスリットを有する弾力性のあるプラスチック材料から成る平らなボディであることができる。それらのスリットは空間的にヒンジに配置される。布地の覆いに囲まれた平らなボディは、スリットに隣接するエリアにウェブ／ブリッジを形成する。布地層は縫い目によって接合され、縫い目はスリットを通って走る。
【０００８】
本発明は工具用収容デバイスの更なる改善に関係する。工具はスクリュードライバーの挿入物、特に２５ｍｍの軸長と１／４六角形断面を有するスクリュードライバーのビットである。それらのビットはホルダーの挿入開口に挿入される。この目的を達成するために、少なくとも２つの表面部分が各々１つ以上の保持デバイスを有することが提供される。保持デバイスはプラスチックで構成されており、例えば接着によって収容デバイスの内側の表面に接合されることができる。各々の保持デバイスはフリースペースによってお互いから離れて間隔を空けられた複数の一直線の列を有し、各々がスクリュードライバーの挿入物のための複数の挿入開口を有する。収容位置において収容デバイスを閉じている間、１つの保持デバイスの挿入開口に挿入されるスクリュードライバーの挿入物が他の保持デバイスのフリースペースに突っ込むように、異なる保持デバイスの列はお互いに対してオフセットされる。
【０００９】
本発明の実施形態が添付された図面に基づいて以下に説明される。
【図面の簡単な説明】
【００１０】
【図１】開いた取り外し位置における第１の実施形態に係る布地工具バッグの平面図である。
【図２】図１における矢印IIの方向から見た布地工具バッグである。
【図３】開いた工具バッグの斜視図である。
【図４】狭い表面部分２１が広い平らな面の部分２０に対して９０°の位置に動かされて、つめ車１３の頭部がフリースペース２７の中に入った状態の開いた工具バッグの斜視図である。
【図５】他の狭い表面部分１９が広い平らな面の部分２０に対して９０°の位置に動かされて、ナット７が広い平らな面の部分２０のフリースペース２８の中に突っ込んだ状態の斜視図である。
【図６】閉じた状態における工具バッグである。
【図７】狭い表面部分１９を除いて、図６における矢印VIIの方向から見た閉じた位置での工具バッグである。
【図８】狭い表面部分２１を除いて、図６における矢印VIIIの方向から見た工具バッグである。
【図９】表面部分１８，２２を除いて、図６における矢印IXの方向から見た工具バッグである。
【図１０】全ての表面部分を持つ、図８のX−X線断面図である。
【図１１】全ての表面部分を持つ、図８のXI−XI線断面図である。
【図１２】図１のXII−XII線断面図である。
【図１３】工具ホルダーが取り付けられていない、第２の実施形態についての図１と同様の図である。
【図１４】図１３に描かれた実施形態の補強説明図である。
【図１５】開いた位置における第３の実施形態に係る収容デバイスを示す。
【図１６】閉じた位置における図１５のXVI−XVI線断面図である。
【図１７】開いた位置における本発明の第４の実施形態を示す。
【図１８】閉じた位置における図１７のXVIII−XVIII線断面図である。
【図１９】開いた位置における本発明の第５の実施形態を示す。
【図２０】閉じた位置における図１９に描かれた実施形態のXX−XX線断面図である。
【発明を実施するための形態】
【００１１】
本実施形態は、工具、特にスクリュードライバー５，７，９，１１，１３を収容するためのデバイスである。それは平らな主ボディ１を持ち、主ボディ１は内面２と外面３を有する。内面２は第１の布地層で構成され、外面３は第２の布地層で構成される。工具５，７，９，１１，１３を保持するために保持デバイス４，６，８，１０，１２が内面２に与えられる。保持デバイス４，６，８，１０，１２は工具５，７，９，１１，１３を主ボディ１に固定する。主ボディ１は、複数のヒンジ１４，１５，１６，１７によって複数の表面部分１８，１９，２０，２１，２２に分けられる。図６に示すように、それらの表面部分は折り曲げられることができる。収容位置において、工具５，７，９，１１，１３は見えない。２つの表面部分２２，１８は部分的に重なり合い、例えばボタン、ベルクロ（登録商標）、またはマグネットを持った留め具（図示無し）によって互いに固定される。収容位置において、布製の工具バッグは多角形のボディのようである。本実施形態では、多角形のボディは四角形を形成する。四角形の端面はストラップ２６から成っており、それは縁曲げ３１の結果として主ボディ１の周辺端部に対してやや奥まった所に置かれている。
【００１２】
個々の表面部分の剛性は、取り囲まれた平らなボディによって確保される。平らなボディは長方形カットを有する挿入ボディであり、長方形カットの中で挿入ボディはプラスチックで作られることができる。ヒンジライン１４，１５，１６，１７のエリアにおける主ボディの柔軟性は、そこでお互いに直接に２つの布地層を縫うことによって達成される。図１から１１はこのタイプの接続を明らかにしないが、図１２の断面図はそれを明らかにする。
【００１３】
デバイスの内側における工具５，７，９，１１，１３の配置は、開いた状態で最良の可能な外観を与えるが、閉じた状態でバッグが最小の収容体積を前提とするように選択される。特に、工具の隣に、特に開いた状態で工具の向かい合った側に十分なスペースがあり、それでユーザはそこで２本の指の間に工具を保持することができる。このフリースペースは、取り外しと取り付けのために使われることができ、閉じた状態において他の工具によって埋められる。
【００１４】
２つのループを形成する保持デバイス１０が広い平らな面の部分２０に配置される。つめ車用の長い拡張シャフトがループの１つに挿入される。つめ車用のより短い拡張シャフトが他のループに挿入される。チャック９が他のループ８に挿入され、チャック９の中にビット５が挿入されることができる。シャフト１１，１１’とチャック９の軸はヒンジライン１４，１５，１６，１７と平行である。フリースペース２７が、シャフト１１と曲げライン１６の間に配置される。他のフリースペース２７が、シャフト１１とヒンジライン１５の間のシャフト１１の向かい合った側に位置している。長方形のストラップ２６が、広い平らな面の部分２０の両側の向かい合わせのフリー周辺端部上で縫い付けられる。ヒンジライン１６を介して広い平らな面の部分２０に接続された狭い表面部分２１は、つめ車１３を運ぶ。そのつめ車１３の頭部は狭い表面部分２１の幅よりもごくわずかに狭い幅を持つ。つめ車１３の腕は、２つのループ１２に挿入され、ヒンジライン１４，１５，１６，１７と平行に延びる軸方向の拡張を有する。狭い表面部分２１が図１に示される開いた位置から図４に示される位置、すなわちヒンジライン１６の回りに９０°の位置に動くならば、つめ車１３の頭部はシャフト１１の隣りのフリースペース２７の中に回転する。
【００１５】
ヒンジライン１５を介して広い平らな面の部分２０に隣接する狭い表面部分１９は、各々が異なるレンチ幅である複数の、特に９個のナット７を運ぶ。プラスチック保持クリップ６が狭い表面部分１９の内面に接合されており、その上にナット７が挿入され、その軸はヒンジライン１４，１５，１６，１７が延びる方向と垂直に延びる。狭い表面部分１９が図１に示される開いた位置から図５に示される位置に９０°まで回転するならば、狭い表面部分１９に固定されたナット７はシャフト１１の隣りのフリースペース２８の中に回転する。
【００１６】
狭い表面部分１９は、ヒンジ１４を介して広い平らな面の部分１８に接続される。広い平らな面の部分１８は、スクリュードライバーのビット５を運ぶ。各スクリュードライバーのビット５はホルダー４の中に挿入される。ホルダー４はループを構成する。ループのボディは複数のループから成る。それらのループは、ヒンジライン１４，１５，１６，１７に垂直な方向に延びる空洞を生じる。
【００１７】
スクリュードライバーのビットの多角形部分１５（図示無し）はループ４の中に延びる。それで、ビット５の機能する先端はループの外に突き出す。個々の機能する先端の間にフリースペースが残る。それで、それらのビットは２本の指の間にしっかりつかむことができる。
【００１８】
フリースペース２９が、ホルダー４とヒンジライン１４の間に広がる。狭い表面部分１９が広い平らな面の部分１８に対して９０°の位置に動かされるならば、ナット７はフリースペース２９の中に回転する。閉じた状態で、フリースペース２８はフリースペース２９に向かい合って位置する。
【００１９】
そのデバイスの開いた状態において、保持クリップ６が内面３の表面の拡張に垂直に突き出すことが利点として見られる。これは、ナットを取り付け、取り外すことを容易にする。
【００２０】
ヒンジライン１７を介して狭い表面部分２１に接続された閉鎖ストラップは、また表面部分２２から成る。閉じた状態で、表面部分２２は表面部分１８と重なる。
【００２１】
図１３と図１４は第２の実施形態を示す。それは、挿入ボディ２３によって図１から図１２に示される実施形態と本質的に異なる。挿入ボディの平面図が図１４に示される。それは単一の平らなボディから成り、曲がりやすいプラスチックで作られる。平らなボディ２３は、お互いに平行に走る４つのスリット３２を持つ。平らなボディ２３は、２つの布地層の間に取り囲まれる。それらの布地層は縫い目によって接合されており、縫い目はスリット３２を通って走る。スリット３２は、ヒンジライン１４，１５，１６，１７と一致する。スリット３２は、完全に包み込まれ、狭い外形を持つ。２つの長手方向のエッジがお互いに平行に走る。スリット３２の各狭い端部と平らなボディ２３の輪郭線の間にウェブ３３が形成される。これらの材料ウェブは、ばねウェブを形成する。図１３に示される折り返されて開いた状態から例えば図６に示される閉じた状態に工具バッグを折り曲げるとき、ばねウェブ３３は９０°まで曲げられる。それらのばねのバイアスの結果として、閉じていた状態から開かれるとき、工具バッグは図１３に示される位置に自動的に開く。挿入ボディ２３の材料は、繊維強化プラスチック、例えばガラス繊維強化プラスチックであることができる。
【００２２】
図１５と図１６は本発明の第３の実施形態を示す。第３の実施形態では、収容デバイスは開いた状態において平らな主ボディを有する。平らな主ボディはヒンジライン１４，１５，１６，１７を介して接合された表面部分１８，１９，２０，２１，２２から成る。表面部分１８，２０および２１は、工具を取り付けられる。狭い表面部分２１は、挿入チャックを備えたスクリュードライバーハンドル１３を保持する留めストラップ１２を有する。広い平らな面の部分２０は、ビット５を収容するためにヒンジライン１５，１６と平行な２つのホルダー４を有する。ホルダー４は、それぞれ１個のビット５のための挿入開口を持ったプラスチックボディから成る。ホルダー４は、表面部分２０の内面と平面的に接合され、また、閉じた位置で狭い側を閉鎖する２つのストラップ２６を運ぶ。
【００２３】
フリースペース２７がヒンジ１６のエリアに形成され、その中に閉じた状態においてスクリュードライバー１３が回転することができる。
【００２４】
個々のビット５のための保持デバイス４の挿入開口は、列をなして各々前後に配置される。フリースペース２８が２つの列の間に残り、閉じた状態において、その中に表面部分１８に配置されたビットの列が入る。表面部分１８は、ビット５のために挿入開口を持った保持デバイス４を運ぶ。表面部分１８は、１列のビットのみを運ぶ。フリースペース２７，２９がその列に隣接して配置されており、折りたたまれた状態において表面部分２０に置かれているビットがその中に回転することができる。
【００２５】
図１７と図１８に示される第４の実施形態において、狭い側壁２１がチャック１３を運ぶ。チャック１３はループ１２によって狭い側壁に固定される。また、この収容デバイスは表面部分１８，１９，２０，２１，２２を有しており、それらは平行に走るヒンジライン１４，１５，１６，１７上でお互いに対して隣接する。閉じた状態においてお互いに向かい合って配置される２つの広い平らな面の部分１８，２０は、各々ホルダー４を取り付けられる。ホルダー４はビットを収容するためにプラスチックで作られる。ホルダー４は、それぞれ１個のビットのための挿入開口を持つ。挿入開口はヒンジライン１４，１５，１６，１７に対して垂直である複数の列に配置される。それらの列は、列の間にフリースペース２７，２８を生じるようにお互いから離れて間隔を空けられる。収容デバイスを閉じるとき、他の広い平らな面の部分１８，２０のビットがフリースペース２７，２８の中に入る。
【００２６】
表面部分２０の外側の端部はストラップ２６を運び、閉じた状態においてそれは収容デバイスの側壁を形成する。
【００２７】
全ての他の実施形態の場合と全く同じように、図１９と図２０に示される第５の実施形態は、開いた状態において平らな主ボディを持ったスクリュードライバーの収容デバイスである。主ボディは、布地の外面、および望ましくはまた布地の内面を有する。ここで、スクリュードライバー１３は狭い側の表面２１に固定される。向かい合わせの狭い側の表面１９は、スクリュードライバーのビット用のホルダー４を運ぶ。スクリュードライバーのビットは、ヒンジの軸１４，１５の並びと垂直に延びる複数の列で配置される。各挿入開口は、ビットのために３つの受入開口を有する。チャック９が１つの受入開口に挿入される。
【００２８】
広い平らな面の部分２０の内面には、ヒンジライン１４，１５と平行な２つの保持デバイス４が取り付けられる。お互いに平行な２つの保持デバイスの各々は、それぞれのビット５のために挿入開口の複数の列を有する。ここでまた、各列は３つの挿入開口を含み、ヒンジライン１４の並びに垂直な方向に前後に合計６つの挿入開口が配置されている。各列は単一の列であり、それで各ビットはたかだか２つの隣りのビットを有する。
【００２９】
フリースペース２７，２８が収容デバイスの単一の列の間に広がる。収容デバイスが閉じる間、フリースペース２７，２８の中に表面部分１９または２０のビットが突っ込む。
【００３０】
図１５から図２０に示される収容デバイスは、合計５つの表面部分１８から２２を有する。閉じた状態において、表面部分１８，２２は、ある程度お互いに平行にお互いに対して隣接する。表面部分２２は、接着剤を持って与えられる。収容デバイスが閉じるとき、表面部分２２は表面部分１８の外面に付着することができる。
【００３１】
特に、平行であり、複数が、特に２つが並んで配置されており、ビットのためにプラスチックで作られており、特にビット５を取り付けられる保持デバイス４が、図１５から図１２に示される実施形態では発明として重要である。十分に広いフリースペース１８が保持デバイス４の間に配置される。それで、ホルダーに配置されたビット５は２本の指で取り外されることができる。フリースペース２８は親指を挿入するために十分広くはない。しかしまた、それは他の表面部分１８，１９のホルダー４に挿入されたビットがそこに入ることができるほど十分に広い。
【００３２】
ストラップ２６が表面部分２０に配置されることは、さらに独立して重要である。表面部分２０はビット５のための、またはビット５を取り付けられる少なくとも１つ以上の保持デバイス４を有する。そして、これらのストラップは閉じた状態において収容デバイスの向かい合わせに置かれた壁を形成する。特にストラップ２６は、例えば縫い付けられて、または接着接合されて、表面部分２０の端部に曲げやすく固定される。
【００３３】
狭い表面部分２１へのハンドル１３またはある他のスクリュードライバーの割り当ては、また独立して重要である。狭い表面部分２１は広い表面部分２０に隣接し、ビット５を取り付けられたホルダー４が第２の狭い表面部分１９に配置される。第２の狭い表面部分１９は広い表面部分２０に隣接する。
【００３４】
チャック９または拡張部品が狭い表面部分１９に配置されたホルダー４の挿入開口に挿入され、収容デバイスの閉じた状態において保持デバイス４の２つの並んだ保持部分の間に位置することが、さらに独立して重要である。それら２つの並んだ保持部分は広い表面部分２０に配置され、広い表面部分２０はヒンジライン１５で狭い表面部分１９に直接に隣接する。
【００３５】
第１の表面部分２０に配置されたホルダー４がビット５のための挿入開口の間隔を空けて離れた列を有し、他の表面部分１８，１９がビットのための構造的に同一のホルダー４を有することが、さらに独立して重要である。それぞれの保持デバイス４の挿入開口に挿入されるビットがそれぞれの他の保持デバイス４のフリースペース２７，２８に突っ込むように、他の表面部分１８，１９のホルダー４においてビット５のために並んだ挿入開口は表面部分２０のホルダー４の並んだ挿入開口に対してオフセットされている。
【００３６】
上述した説明は全体として本出願に包含される発明を説明するために役立つ。そして、少なくとも以下の特徴の組み合わせで各々は独立して先行技術をさらに改善する。
【００３７】
工具、特にスクリュードライバーを収容するためのデバイスであって、平らな主ボディ１を持ち、主ボディ１は内面２と外面３を有し、工具５，７，９，１１，１３を主ボディ１に保持するために保持デバイス４，６，８，１０，１２が内面２上に与えられ、複数のヒンジ１４，１５，１６，１７によって主ボディ１が表面部分１８，１９，２０，２１，２２に分割され、これらの表面部分１８，１９，２０，２１，２２が工具の取り外し位置から収容位置にヒンジ１４，１５，１６，１７の回りに折り重ねられることができ、取り外し位置では表面部分１８，１９，２０，２１，２２が基本的に単一の平面であり、収容位置では表面部分１８，１９，２０，２１，２２の外面３が多角形のボディの平らな表面を形成するデバイス。
【００３８】
主ボディの表面部分１８，１９，２０，２１，２２が各々寸法的に安定し、かつ曲がりやすい平らなボディ／平らなボディ部分２３によって強化されており、特に少なくとも表面部分１８，１９，２０，２１，２２の外面３が布地材料で作られていることを特徴とするデバイス。
【００３９】
その収容位置で角柱のように成形され、その表面部分１８，１９，２０，２１，２２の各々で、および／またはお互いから離れて面し、かつお互いに平行に走るそれらの端面２４，２５で、平らな床面の上に安定して立つことを可能にする剛性を有することを特徴とするデバイス。
【００４０】
主ボディ１に固定された工具５，７，９，１１，１３がその収容位置において主ボディ１を強化するように、保持デバイス４，６，８，１０，１２が配置されることを特徴とするデバイス。
【００４１】
内面２に固定された工具５，７，９，１１，１３の間のフリースペース２７，２８，２９であって、取り外し位置において工具を取り外すことをより容易にし、収容位置において他の表面１９，２１に配置された工具７，１３をその中に入れるフリースペース２７，２８，２９を特徴とするデバイス。
【００４２】
内面２と外面３が、各々布地、特に織物で作られており、ヒンジライン１４，１５，１６，１７に沿って走る縫い目によって接合され、それらの間に寸法的に安定し、かつ曲がりやすい挿入ボディ２３が配置されていることを特徴とするデバイス。
【００４３】
取り外し位置において、主ボディ１が、短い周辺端部に平行に走るヒンジライン１４，１５，１６，１７を有し、角のある、特に基本的に四角の表面の物体を形成することを特徴とするデバイス。
【００４４】
細長い工具１１，１３がヒンジライン１４，１５，１６，１７に平行に延びるように保持デバイスが配置され、および／またはスクリュードライバーの挿入物５，７、特にビットまたはナットがヒンジライン１４，１５，１６，１７の並びに垂直に延びるように保持デバイス４，６，８，１２が配置されることを特徴とするデバイス。
【００４５】
ヒンジが正確に４本の曲げライン１４，１５，１６，１７を形成し、端部の近くの表面部分１２が閉鎖ストラップを形成し、収容位置においてその表面部分１２がその端部に接する表面部分に対して平面的に接着して隣接することを特徴とするデバイス。
【００４６】
多角形のボディの狭い側の面が各々１つ以上のストラップ２６で構成され、ストラップ２６は曲げラインに沿って広い平らな面の周辺端部と接合されることを特徴とするデバイス。
【００４７】
１つ以上の挿入ボディ２３が磁石を取り付けられていることを特徴とするデバイス。
【００４８】
ばねウェブ３３が曲げライン１４，１５，１６，１７のエリアに配置されており、ばねウェブ３３で平らなボディ２３の部分が接合され、ばねウェブ３３が収容位置で負荷を加えられ、取り外し位置で緩和されることを特徴とする装置。
【００４９】
複数の、特に全ての表面部分１８，１９，２０，２１，２２が共有の平らなボディ２３によって強化され、当該平らなボディ２３が平行に走るヒンジライン１４，１５，１６，１７のエリアでスリット３２を形成することを特徴とするデバイス。
【００５０】
各ヒンジライン１４，１５，１６，１７が、スリットの狭い側を含むそれぞれ２つのばねウェブ３３によって横断されることを特徴とするデバイス。
【００５１】
第１の表面部分２０が１つ以上の第１の保持デバイス４を有し、第２の表面部分１９，２０が１つ以上の第２の保持デバイス４を有し、それぞれ一直線であって間隔を空けて離れた複数の列であってフリースペース２７，２８を通って走る列を第１と第２の保持デバイス４の各々が形成し、第１と第２の保持デバイス４の各々がスクリュードライバーの挿入物５のためにそれぞれ複数の挿入開口を有し、収容位置において第１の保持デバイス４の挿入開口の中に挿入されるスクリュードライバーの挿入物５が第２の保持デバイス４のフリースペース２８の中に突っ込み、第２の保持デバイス４の挿入開口の中に挿入されるスクリュードライバーの挿入物５が第１の保持デバイス４のフリースペース２７の中に突っ込むように、第１の保持デバイス４の列が第２の保持デバイス４の列に対してオフセットされることを特徴とするデバイス。
【００５２】
全ての開示された特徴は、（個別に、またはお互いに組み合わせて）本発明に不可欠である。ここでまた、添付の優先権書類（仮出願の写し）から本出願の請求項に特徴を含める目的のためにさえ、本発明の開示はこれらの出願の開示内容を全体として包含する。従属項の特徴は、特にこれらの従属項に基づいて分割出願するために、従来技術の独立して進歩性のある更なる改善を特徴づける。
【符号の説明】
【００５３】
１…主ボディ
２…内面
３…外面
４…ビットのための保持デバイス
５…ビット
６…ナットのための保持デバイス
７…ナット
８…チャックのための保持デバイス
９…チャック
１０…シャフトのための保持デバイス
１１…シャフト
１１’…シャフト
１２…保持デバイス
１３…つめ車
１４…ヒンジライン、曲げライン
１５…ヒンジライン、曲げライン
１６…ヒンジライン、曲げライン
１７…ヒンジライン、曲げライン
１８…表面部分
１９…表面部分
２０…表面部分
２１…表面部分
２２…表面部分
２３…平らなボディ／挿入ボディ
２４…端面
２５…端面
２６…ストラップ
２７…フリースペース
２８…フリースペース
２９…フリースペース
３１…縁曲げ
３２…スリット
３３…ばねウェブ
【図１】
0006502949.tif 000002
【図２】
0006502949.tif 000003
【図３】
0006502949.tif 000004
【図４】
0006502949.tif 000005
【図５】
0006502949.tif 000006
【図６】
0006502949.tif 000007
【図７】
0006502949.tif 000008
【図８】
0006502949.tif 000009
【図９】
0006502949.tif 000010
【図１０】
0006502949.tif 000011
【図１１】
0006502949.tif 000012
【図１２】
0006502949.tif 000013
【図１３】
0006502949.tif 000014
【図１４】
0006502949.tif 000015
【図１５】
0006502949.tif 000016
【図１６】
0006502949.tif 000017
【図１７】
0006502949.tif 000018
【図１８】
0006502949.tif 000019
【図１９】
0006502949.tif 000020
【図２０】
0006502949.tif 000021